(57)【要約】      （修正有）【課題】外部の機器における音楽や映像データに関して、ユーザの要望に応じたバラエティに富んだプレイリスト再生を行うことを可能とする。【解決手段】再生制御装置１は、接続されたスマートフォン並びにデジタルオーディオプレーヤに記憶されている全ての楽曲から、所望のプレイリストＬを作成する。このとき、各楽曲の再生する時間的部分を指定する。再生制御装置１は、プレイリストＬに指定されている楽曲の再生する時間的部分についての再生（転送）を、接続されたスマートフォン並びにデジタルオーディオプレーヤに指示する。プレイリストＬに従って楽曲データの再生を順次実行することにより、複数の音響機器に跨ってばらばらに記憶されている複数の楽曲を、連続して再生する。【選択図】図１
2015185195.tif 000002
【特許請求の範囲】
【請求項１】
複数の音楽又は映像データを再生することが可能な音響・映像機器（２、３、４）に対し、ユーザの好みのプレイリスト（Ｌ）を作成し、再生させるための音響・映像機器の再生制御装置（１）であって、
１以上の音響・映像機器（２、３、４）と接続が可能な接続手段（１１）と、
前記接続手段（１１）により接続された前記各音響・映像機器（２、３、４）における全ての音楽又は映像データのなかから、任意の音楽又は映像を選択すると共に、それら音楽又は映像における再生する時間的部分を指定するための操作入力手段（２１）と、
前記操作入力手段（２１）の操作に基づいて、前記各音楽又は映像のタイトル及び再生順、並びに再生する時間的部分を指定したプレイリスト（Ｌ）を作成するプレイリスト作成手段（１４）と、
前記各音響・映像機器（２、３、４）に対し、前記プレイリスト（Ｌ）に従って音楽又は映像の再生を指示する再生制御手段（１１）とを備えることを特徴とする音響・映像機器の再生制御装置。
【請求項２】
前記操作入力手段（２１）による前記音楽又は映像における再生する時間的部分の指定は、該音楽又は映像中の再生開始時点及び終了時点の指定、或いは、最初からの再生時間の指定により行われるように構成されていることを特徴とする請求項１記載の音響・映像機器の再生制御装置。
【請求項３】
前記接続手段（１１）は、近距離無線通信装置から構成されていることを特徴とする請求項１又は２記載の音響・映像機器の再生制御装置。
【請求項４】
前記再生制御手段（１１）は、前記音楽又は映像データを一時的に記憶するバッファ（１７）を備え、ストリーミング方式の再生を行うように構成されていると共に、
前記バッファ（１７）の容量は、再生すべき楽曲データの切替時に、前記音響・映像機器（２、３、４）との接続が必要な場合に、その接続処理に要する時間よりも長い時間に渡って前記音楽又は映像データの再生処理が可能となるように設定されていることを特徴とする請求項１から３のいずれか一項に記載の音響・映像機器の再生制御装置。
【請求項５】
前記再生制御手段（１１）は、前記プレイリスト（Ｌ）中の音楽又は映像をスキャン再生する機能を備えて構成されていることを特徴とする請求項１から４のいずれか一項に記載の音響・映像機器の再生制御装置。
【発明の詳細な説明】
【技術分野】
【０００１】
本発明は、複数の音楽又は映像データを再生することが可能な音響・映像機器に対し、ユーザの好みのプレイリストを作成し、再生させるための音響・映像機器の再生制御装置に関する。
【背景技術】
【０００２】
従来、デジタル方式の音楽データを再生する音響機器として、携帯が可能なデジタルオーディオプレーヤが供されている。この種のデジタルオーディオプレーヤによる音楽（楽曲）再生のメニューとしては、アルバム単位での再生、ユーザが作成するプレイリストでの再生、シャッフル（ランダム）再生等があった。しかし、これらは音源として記録された楽曲単位（楽曲の最初から最後まで）での再生を行うものであり、例えば楽曲の最初の部分だけを再生したり、いわゆるサビの部分だけを再生したりするといったことはできなかった。
【０００３】
この場合、デジタルオーディオの編集機能を有する装置（ソフトウエア）を使用すれば、例えば複数の楽曲の一部ずつを抽出して結合する等の編集は可能であるが、専用の装置（ソフトウエア）が必要となると共に、ユーザに専門的な知識が必要となるため、一般のユーザが気軽に使用するにはハードルが高かった。そこで、例えば特許文献１には、ユーザが曲の最初から何％といった割合の設定を行うことにより、その設定に従った楽曲の再生が可能なオーディオ装置が開示されている。
【先行技術文献】
【特許文献】
【０００４】
【特許文献１】特開２００９−２０５７４１号公報
【発明の概要】
【発明が解決しようとする課題】
【０００５】
しかしながら、上記特許文献１に記載された技術では、オーディオ装置内のオーディオデータ記録媒体に記録されている楽曲、或いはＵＳＢ／ＳＤメモリのような外部メモリに保存されている楽曲だけを対象とするものであり、外部機器に記憶されている楽曲については適用することができない。また、さほどバラエティに富んだ再生を行うことはできず、ユーザの多様な要望には対応できない場合もある。
【０００６】
本発明は上記事情に鑑みてなされたもので、その目的は、外部の機器における音楽や映像データに関して、ユーザの要望に応じたバラエティに富んだプレイリスト再生を行うことを可能とした音響・映像機器の再生制御装置を提供するにある。
【課題を解決するための手段】
【０００７】
上記目的を達成するために、本発明の音響・映像機器の再生制御装置（１）は、複数の音楽又は映像データを再生することが可能な音響・映像機器（２、３、４）に対し、ユーザの好みのプレイリスト（Ｌ）を作成し、再生させるためのものであって、１以上の音響・映像機器（２、３、４）との接続が可能な接続手段（１１）と、前記接続手段（１１）により接続された前記各音響・映像機器（２、３、４）における全ての音楽又は映像データのなかから、任意の音楽又は映像を選択すると共に、それら音楽又は映像における再生する時間的部分を指定するための操作入力手段（２１）と、前記操作入力手段（２１）の操作に基づいて、前記各音楽又は映像のタイトル及び再生順、並びに再生する時間的部分を指定したプレイリスト（Ｌ）を作成するプレイリスト作成手段（１４）と、前記各音響・映像機器（２、３、４）に対し、前記プレイリスト（Ｌ）に従って音楽又は映像の再生を指示する再生制御手段（１１）とを備えるところに特徴を有する。
【０００８】
上記構成によれば、接続手段（１１）により、複数の音響・映像機器（２、３、４）と接続することができ、それら複数の音響・映像機器（２、３、４）で再生可能な全ての全ての音楽又は映像データを再生することが可能となる。ユーザは、操作入力手段（２１）により、前記全ての音楽又は映像データのなかから、任意の音楽又は映像を選択すると共に、それら音楽又は映像における再生する時間的部分を指定することができる。すると、前記操作入力手段（２１）の操作に基づき、プレイリスト作成手段（１４）により、各音楽又は映像のタイトル及び再生順、並びに再生する時間的部分を指定したプレイリスト（Ｌ）が作成される。そして、再生制御手段（１１）により、各音響・映像機器（２、３、４）に対し、プレイリスト（Ｌ）に従って音楽又は映像の再生が指示される。この結果、プレイリスト（Ｌ）に従った音楽又は映像の再生出力が行われる。
【０００９】
この場合、外部に設けられた音響・映像機器（２、３、４）における全ての音楽又は映像データを対象として、プレイリスト（Ｌ）を作成することができ、また、音楽又は映像における再生する時間的部分を任意に指定することが可能となる。従って、外部の音響・映像機器（２、３、４）における音楽や映像データに関して、ユーザの要望に応じたバラエティに富んだプレイリスト（Ｌ）を作成し、その再生を行うことが可能となる。
【図面の簡単な説明】
【００１０】
【図１】本発明の一実施例を示すもので、再生制御装置の機能ブロック図
【図２】再生制御装置と外部の音響機器とが接続されている様子を概略的に示す図
【図３】再生制御装置のプレイリスト再生の処理手順を示すフローチャート
【発明を実施するための形態】
【００１１】
以下、本発明を自動車に搭載され、音楽（楽曲）の再生を行うカーオーディオ装置に適用した一実施例について、図面を参照しながら説明する。図２は、本実施例における音楽の再生を行うためのシステムの構成を概略的に示している。本実施例に係る再生制御装置１は、詳しく図示はしないが、自動車の車内で乗員が音楽を楽しむためのカーオーディオ装置に組込まれており、１又は複数（図では３個）の外部の音響機器２、３、４との間での近距離無線通信によるマルチ接続が可能となっている。
【００１２】
ここでは、前記外部の音響機器の具体例として、ユーザ（車両の乗員）が所持（携帯）するスマートフォン２、３、並びに、例えば「ｉＰｏｄ  ｔｏｕｃｈ（登録商標）」等のデジタルオーディオプレーヤ４が採用されている。周知のように、これらスマートフォン２、３並びにデジタルオーディオプレーヤ４は、例えばインターネット等を介して配信される多数の楽曲（音楽）データを記憶（登録）し、再生することが可能に構成されている。また、図示はしないが、これらスマートフォン２、３並びにデジタルオーディオプレーヤ４は、Ｂｌｕｅｔｏｏｔｈ（登録商標）によるワイヤレス接続機能（Ｂｌｕｅｔｏｏｔｈ通信部）を有して構成されている。
【００１３】
尚、このとき、スマートフォン２、３並びにデジタルオーディオプレーヤ４のＢｌｕｅｔｏｏｔｈ通信部は、楽曲データの転送を規定するＡ２ＤＰ（Advanced Audio Distribution Profile）、楽曲データの制御（再生、一時停止、停止等）に係る制御データの転送を規定するＡＶＲＣＰ（Audio/Video Remote Control Profile）のプロファイルに対応している。また、再生制御装置１のＢｌｕｅｔｏｏｔｈオーディオ制御部１１においても、同様のＡ２ＤＰ、ＡＶＲＣＰのプロファイルに対応している。
【００１４】
前記再生制御装置１は、前記スマートフォン２、３並びにデジタルオーディオプレーヤ４に対し、ユーザの好みのプレイリストを作成し、再生（ストリーミング方式の再生）させるもので、図１に示す構成を備えている。即ち、再生制御装置１は、Ｂｌｕｅｔｏｏｔｈオーディオ制御部１１を備えている。このＢｌｕｅｔｏｏｔｈオーディオ制御部１１は、コンピュータを含んで構成され、再生制御装置１全体を制御すると共に、前記スマートフォン２、３並びにデジタルオーディオプレーヤ４と接続する接続手段としてのＢｌｕｅｔｏｏｔｈ通信部を備えている。
【００１５】
前記Ｂｌｕｅｔｏｏｔｈオーディオ制御部１１には、楽曲リスト記憶部１２、楽曲再生用タイマ１３が接続されている。また、再生制御装置１は、プレイリスト作成・読込部１４、プレイリスト記憶部１５、再生コマンド生成部１６を備えている。前記プレイリスト作成・読込部１４には、車内に設けられた表示部２０及び操作部２１が接続されている。更に、再生制御装置１は、楽曲データ用バッファ１７、オーディオコーデックデコーダ１８、アンプ１９を備えている。前記アンプ１９には、車内に設けられたスピーカ２２が接続されている。
【００１６】
前記楽曲リスト記憶部１２には、前記スマートフォン２、３並びにデジタルオーディオプレーヤ４において記憶されている全ての楽曲のリスト（タイトル、演奏時間、アーティスト名、アルバム名等）が、音響機器の情報（その楽曲データがどの音響機器２、３、４に記憶されているか）と共に記憶される。前記楽曲再生用タイマ１３は、楽曲の再生時におけるタイマとして機能する。
【００１７】
そして、前記プレイリスト作成・読込部１４は、後述するように、ユーザが表示部２０を見ながら操作入力手段としての操作部２１を操作することにより、所望のプレイリストＬ（図２参照）を作成するプレイリスト作成手段として機能する。前記プレイリスト記憶部１５には、作成されたプレイリストＬが記憶される。前記再生コマンド生成部１６は、前記プレイリストＬに従う楽曲の再生時に、プレイリストＬに基づいて再生コマンドを生成し、前記Ｂｌｕｅｔｏｏｔｈオーディオ制御部１１に該再生コマンドを実行させる。
【００１８】
前記楽曲データ用バッファ１７は、楽曲の再生時に、ストリーミング方式の再生を実現するために、前記Ｂｌｕｅｔｏｏｔｈオーディオ制御部１１を介して、前記スマートフォン２、３並びにデジタルオーディオプレーヤ４から読込まれた楽曲データを一時的に記憶する。前記オーディオコーデックデコーダ１８は、楽曲データ用バッファ１７の楽曲データの復調（アナログ変換）等を行い、前記アンプ１９に出力する。アンプ１９は、前記スピーカ２２から楽曲を出力させる。
【００１９】
さて、本実施例の再生制御装置１においては、ユーザの操作部２１の操作に基づき、プレイリスト作成・読込部１４により、楽曲リスト記憶部１２中の全ての楽曲のリスト（スマートフォン２、３並びにデジタルオーディオプレーヤ４において記憶されている楽曲データ）のなかから、所望のプレイリストＬを作成することができる。図２に例示するように、このプレイリストＬは、演奏順（Ｎｏ．）、楽曲のタイトル、アーティスト名、再生する時間的部分のリストからなる。
【００２０】
このとき、再生する時間的部分の指定は、楽曲の最初からの時点の指定、つまり再生開始時点（Ｓｔａｒｔ）及び終了時点（Ｅｎｄ）の指定、或いは、最初からの再生時間（Ｔｉｍｅ）の指定により行われる。楽曲の全部を再生することが可能であることは勿論である。尚、このプレイリストＬに、当該楽曲データがどの音響機器（スマートフォン２、３並びにデジタルオーディオプレーヤ４のいずれか）に記憶されているかの種別のデータを含ませても良い。
【００２１】
そして、次の作用説明でも述べるように、再生制御装置１がプレイリストＬによる音楽の再生（演奏）を実行するにあたり、Ｂｌｕｅｔｏｏｔｈオーディオ制御部１１は、再生コマンド生成部１６により生成された再生コマンドに基づき、プレイリストＬに記載されたタイトル（及びアーティスト名）と合致する楽曲及びその楽曲のデータが記憶された音響機器（スマートフォン２、３並びにデジタルオーディオプレーヤ４のいずれか）を、楽曲リスト記憶部１２から検索する。
【００２２】
次いで、再生制御装置１は、接続されたスマートフォン２、３並びにデジタルオーディオプレーヤ４に対しその楽曲データの再生（転送）を指示する。このとき、再生する時間的部分の指定がある場合には、その部分の再生を指示する。スマートフォン２、３並びにデジタルオーディオプレーヤ４から転送された楽曲データは、Ｂｌｕｅｔｏｏｔｈオーディオ制御部１１を介して、楽曲データ用バッファ１７に一時的に貯められながらオーディオコーデックデコーダ１８でアナログ変換されて、アンプ１９を通してスピーカ２２から出力される。
【００２３】
再生制御装置１は、上記のような楽曲データの再生を、プレイリストＬに従って次行に指定されている楽曲について順次実行することにより、複数の音響機器（スマートフォン２、３並びにデジタルオーディオプレーヤ４）に跨ってばらばらに記憶されている複数の楽曲を、連続して再生することができる。尚、前記楽曲データ用バッファ１７の容量は、再生すべき楽曲データの切替時に音響機器２、３、４との接続が必要な場合に、その接続に要する時間よりも長い時間に渡って楽曲データの再生処理が可能となるように設定されている。これにより、楽曲再生が不自然に長く途切れた空白期間が生ずることが未然に防止されるようになっている。
【００２４】
次に、上記構成の作用について、図３も参照して説明する。図３のフローチャートは、上記のようにしてユーザにより作成されたプレイリストＬに従って、再生制御装置１が実行するプレイリスト再生の処理手順を示している。即ち、まずステップＳ１では、Ｂｌｕｅｔｏｏｔｈデバイス（音響機器２、３、４）の検索が行われる。
【００２５】
次のステップＳ２では、検索された音響機器（スマートフォン２、３並びにデジタルオーディオプレーヤ４）との接続が行われ、ステップＳ３にて、その音響機器２、３、４から楽曲リストが取得され、楽曲リスト記憶部１２に記憶される。ステップＳ４では、全ての音響機器２、３、４との接続処理が完了したかどうかが判断され、全ての音響機器２、３、４との接続処理が完了していない場合には（ステップＳ４にてＮｏ）、ステップＳ１からの処理が繰返される。
【００２６】
全ての音響機器２、３、４との接続処理が完了すると（ステップＳ４にてＹｅｓ）、ステップＳ５にて、プレイリストＬの指定に従い、楽曲が登録された音響機器２、３、４とに接続する。次のステップＳ６では、プレイリストＬに指定された位置からの楽曲の再生及び指定された位置又は時間での再生の終了が行われる。ステップＳ７では、プレイリストＬの最後まで音響機器２、３、４との接続及び指定楽曲の再生を繰返し、その後、処理を終了する。
【００２７】
上記のように、本実施例の再生制御装置１によれば、Ｂｌｕｅｔｏｏｔｈオーディオ制御部１１により、複数の音響機器（スマートフォン２、３並びにデジタルオーディオプレーヤ４）と接続して、それら複数の音響機器２、３、４で再生可能な全ての全ての楽曲データを再生することが可能となる。ユーザがプレイリストＬを作成する場合、スマートフォン２、３並びにデジタルオーディオプレーヤ４に記憶された全ての楽曲の中から任意に楽曲を選ぶことができる。しかもこのとき、各楽曲の再生する時間的部分を任意に指定することができる。
【００２８】
そして、プレイリストＬに従った楽曲の再生出力を行うことができる。このとき、複数の音響機器２、３、４に跨ってばらばらに記憶されている複数の楽曲を、あたかも単一のデバイスに登録された楽曲のごとく連続して再生することができる。この結果、外部の音響・映像機器２、３、４における音楽や映像データに関して、ユーザの好きな楽曲の好きな部分だけを組合せる等の、ユーザの要望に応じたバラエティに富んだプレイリストＬを作成し、その再生を行うことが可能となるといった優れた効果を得ることができる。
【００２９】
尚、上記実施例では説明しなかったが、本発明の再生制御装置においては、プレイリストＬ中の楽曲をスキャン再生する機能を設けることもできる。この場合、プレイリストＬの作成時に、ユーザが所望の楽曲を選択した上で、スキャン再生のメニューを指定することにより、再生する時間的部分が、例えば、楽曲の最初の１０秒間（イントロ部分）に自動的に指定される。そして、このときには、楽曲のイントロ部分の再生時にユーザが所定の操作を行うことにより、当該楽曲の全体が最初から再生される。これにより、ユーザにとって、よりバラエティに富んだ再生が可能となる。
【００３０】
また、上記実施例では、カーオーディオ装置に適用し、再生制御装置１がアンプやスピーカ等の出力装置を備えたものとして構成したが、例えばスピーカ出力機能を有する他のデバイスや、ワイヤレスヘッドホン、あるいは接続されたいずれかの音響機器等の外部の出力装置に楽曲を出力させるものであっても良い。更に、上記実施例では、音楽（楽曲）の再生を例として説明したが、映像データの再生においても本発明を適用することができる。その他、再生制御装置のハードウエア構成、ソフトウエア構成についても様々な変更が可能である等、本発明は上記した実施例に限定されるものではなく、要旨を逸脱しない範囲内で適宜変更して実施し得るものである。
【符号の説明】
【００３１】
図面中、１は再生制御装置、２、３はスマートフォン（音響機器）、４はデジタルオーディオプレーヤ（音響機器）、１１はＢｌｕｅｔｏｏｔｈオーディオ制御部（接続手段、再生制御手段）、１４はプレイリスト作成・読込部（プレイリスト作成手段）、１７は楽曲データ用バッファ、２１は操作部（操作入力手段）、Ｌはプレイリストを示す
【図１】
2015185195.tif 000003
【図２】
2015185195.tif 000004
【図３】
2015185195.tif 000005